(57)【特許請求の範囲】
【請求項１】
映像機器を載置可能な挿入溝が上面に形成された上板部と、
前記上板部の下側に組立てられ、外部から内部が見えるように開口部が少なくとも１つ形成された側板部と、
前記側板部の下側に組立てられる下板部と、
前記側板部の内部に前記下板部の上面を基準として傾斜して設けられるスクリーン板とを含み、
前記側板部は、
前記開口部が形成された板状の前面部と、
前記前面部の一角に連結される板状の第１側面部と、
前記前面部の他の角に連結される板状の第２側面部と、
前記前面部に対向し、前記第１側面部および前記第２側面部に連結された板状の後面部とを含み、
前記第１側面部および前記第２側面部はそれぞれ、少なくとも１つの折線、および上部角に形成された係止溝を具備し、
前記スクリーン板は、前記スクリーン板のうちの対向する両角にそれぞれ外向突出した係止部を有し、
前記下板部は、上面に前記スクリーン板の一角と平行な一直線の支持溝とを含む、
ことを特徴とするホログラムを実現可能な折畳式ケース。
【請求項２】
前記折線は、前記下板部の上面を基準として垂直であることを特徴とする請求項１に記載のホログラムを実現可能な折畳式ケース。
【請求項３】
前記折線は、前記第１側面部と前記第２側面部の各中心を基準として左右対称となるように、前記下板部の上面を基準として傾斜したことを特徴とする請求項１に記載のホログラムを実現可能な折畳式ケース。
【請求項４】
前記前面部、前記第１側面部、前記第２側面部および前記後面部は、互いに分離可能であることを特徴とする請求項１に記載のホログラムを実現可能な折畳式ケース。
【請求項５】
前記上板部の一角に連結され、前記一角を回転軸に回動して前記上板部の上面を覆う板状のカバーをさらに含むことを特徴とする請求項１に記載のホログラムを実現可能な折畳式ケース。
【請求項６】
前記回転軸に対向する前記カバーの端角に付着または内蔵された第１磁性体と、前記下板部の角に付着または内蔵される第２磁性体とを含み、
前記カバーを回動して前記上板部の上面を覆い、前記第１磁性体と前記第２磁性体とが付着可能であることを特徴とする請求項５に記載のホログラムを実現可能な折畳式ケース。
【請求項７】
前記下板部の一側面が前後移動して他の品物を前記下板部に内蔵または取外し可能な引き出しをさらに含むことを特徴とする請求項１に記載のホログラムを実現可能な折畳式ケース。
【請求項８】
前記上板部および前記下板部は、縁に沿って所定の深さに形成された溝を含み、
前記側板部の上部および下部はそれぞれ、前記溝に挿入されることを特徴とする請求項１に記載のホログラムを実現可能な折畳式ケース。
【請求項９】
映像機器を載置可能な挿入溝が上面に形成された上板部と、
前記上板部の下側に組立てられ、外部から内部が見えるように開口部が少なくとも１つ形成された側板部と、
前記側板部の下側に組立てられる下板部と、
前記側板部の内部に前記下板部の上面を基準として傾斜して設けられるスクリーン板とを含み、
前記側板部は、
前記開口部が形成された板状の前面部と、
前記前面部の一角に連結される板状の第１側面部と、
前記前面部の他の角に連結される板状の第２側面部と、
前記前面部に対向し、前記第１側面部および前記第２側面部に連結された板状の後面部とを含み、
前記前面部、前記第１側面部、前記第２側面部および前記後面部は、互いに分離可能であり、
前記スクリーン板は、前記スクリーン板のうちの対向する両角にそれぞれ外向突出した係止部を有し、
前記第１側面部および前記第２側面部はそれぞれ、上部角に形成された係止溝を有し、
前記下板部は、上面に前記スクリーン板の一角と平行な一直線の支持溝とを含む、
ることを特徴とするホログラムを実現可能な折畳式ケース。
【発明の詳細な説明】
【技術分野】
【０００１】
本発明は、ホログラムを実現可能な折畳式ケースに関し、具体的には、映像機器が載置されるように上部に溝が形成された上板部と、対向する面に向けて折畳まれる側面部と、側面部の支立を支持する下板部と、ケースの内部に傾斜して設けられたスクリーン板とから構成されたもので、使用者がこれを手軽に組立てることができ、携帯が可能であり、映像機器から再生された映像を側面部の開口部を通して立体的に観覧することができる折畳式ケースに関する発明である。
【背景技術】
【０００２】
立体映像とは、三次元空間にあるかのように見える映像であって、人の左右それぞれの目で見た映像の視差を用いて１つの立体的な映像として認識させる原理を利用したものである。このような立体映像を実現する方式には、従来のホログラムフィルムを用いる方式がある。
【０００３】
ホログラムフィルムにイメージを投影する場合、光の相互干渉現象によって立体的な映像が実現されるものであって、最近、映像産業で多様に活用されている。特に、スマートフォンのような、外部サーバと接続可能な携帯電話が大衆化されるにつれ、多様な映像をホログラムで実現可能な技術への需要が増大している。
【０００４】
これに関連する先行特許としては、韓国特許公開公報第２０００−００７４００７号のホログラムディスプレイのハーフミラー可変装置がある。これは、ハーフミラーを上下に可変させて二次元および三次元映像を選択的にディスプレイ可能な装置である。しかし、大きな体積を占めて設置が難しく、ハーフミラーを可変させるために別の加工が要求される複雑な構造であり、完製品でない一体構造であるという点で各部品の故障および修理が難しいという限界がある。
【０００５】
したがって、紙のような薄い材質でも製造が可能であり、使用者が手軽に携帯することができ、容易に組立ててホログラムを観覧することができる折畳式ケースに対する発明の需要が必要になる。
【発明の概要】
【発明が解決しようとする課題】
【０００６】
本発明の目的は、ホログラムを実現可能な折畳式ケースに関し、具体的には、映像機器が載置されるように上部に溝が形成された上板と、対向する面に向けて折畳まれる側面部と、側面部の支立を支持する下板部と、ケースの内部に傾斜して設けられたスクリーン板とから構成されたもので、使用者がこれを手軽に組立てることができ、携帯が可能であり、映像機器から再生された映像を側面部の開口部を通して立体的に観覧することができる折畳式ケースに関する発明を提供することである。
【課題を解決するための手段】
【０００７】
上記の目的を達成するために、本発明に係るホログラムを実現可能な折畳式ケースは、映像機器を載置可能な挿入溝が上面に形成された上板部と、上板部の下側に組立てられ、外部から内部が見えるように開口部が少なくとも１つ形成された側板部と、側板部の下側に組立てられる下板部と、側板部の内部に下板部の上面を基準として傾斜して設けられるスクリーン板とから構成される。
【０００８】
この時、前記側板部は、開口部が形成された板状の前面部と、前面部の一角に連結される板状の第１側面部と、前面部の他の角に連結される板状の第２側面部と、前面部に対向し、第１側面部および第２側面部に連結された板状の後面部とを含み、第１側面部および第２側面部はそれぞれ、少なくとも１つの折線を具備することができる。
【０００９】
この時、前記折線は、下板部の上面を基準として垂直に形成される。
【００１０】
この時、前記折線は、第１側面部および第２側面部の各中心を基準として左右対称となるように、下板部の上面を基準として傾斜して形成される。
【００１１】
この時、前記スクリーン板の対向する両角にそれぞれ外向突出した係止部と、前記第１側面部および前記第２側面部のそれぞれの上部角に形成された係止溝と、前記下板部の上面に一角と平行な一直線の支持溝とを含むことができる。
【００１２】
この時、前記前面部、前記第１側面部、前記第２側面部および前記後面部は、互いに分離可能に構成される。
【００１３】
この時、前記上板部の一角に連結され、前記一角を回転軸に回動して前記上板部の上面を覆う板状のカバーをさらに含むことができる。
【００１４】
この時、前記回転軸に対向する前記カバーの端角に付着または内蔵された第１磁性体と、前記下板部の角に付着または内蔵される第２磁性体とを含み、前記カバーを回動して前記上板部の上面を覆い、前記第１磁性体と前記第２磁性体とが付着可能である。
【００１５】
この時、前記下板部の一側面が前後移動して他の品物を前記下板部に内蔵または取外し可能な引き出しをさらに含むことができる。
【００１６】
この時、前記上板部および前記下板部は、縁に沿って所定の深さに形成された溝を含み、前記側板部の上部および下部はそれぞれ、前記溝に挿入されるように構成される。
【発明の効果】
【００１７】
このように構成された本発明によれば、側板部に折線が形成され、上板部と下板部に溝が形成されて、使用者が直観的にケースを組立てることができる。しかも、ケースが紙材質で製造可能で、製造単価を減少させることができ、加工も容易であり、上板部、側板部、下板部が互いに分離されるため、各部品の取替において有利である。
【００１８】
また、本発明は、ケースの上部に調節スイッチを用いてケースの溝に挿入された携帯電話の位置を調節可能で、ホログラム映像の位置を操作できるだけでなく、携帯電話を固定させることができる。
【図面の簡単な説明】
【００１９】
【図１】本発明の第１実施形態に係るホログラムを実現可能な折畳式ケースの斜視図である。
【図２】本発明の第１実施形態に係るホログラムを実現可能な折畳式ケースの分解図である。
【図３】本発明の第１実施形態に係るホログラムを実現可能な折畳式ケースの順次組立図である。
【図４】本発明の第１実施形態に係るホログラムを実現可能な折畳式ケースの順次組立図である。
【図５】本発明の第１実施形態に係るホログラムを実現可能な折畳式ケースの順次組立図である。
【図６】本発明の第１実施形態に係るホログラムを実現可能な折畳式ケースの順次組立図である。
【図７】本発明の第２実施形態に係るホログラムを実現可能な折畳式ケースの側板部の拡大図である。
【図８】本発明の第２実施形態に係るホログラムを実現可能な折畳式ケースの側板部の拡大図である。
【図９】本発明の第３実施形態に係るホログラムを実現可能な折畳式ケースの側板部の拡大図である。
【図１０】本発明のホログラムを実現可能な折畳式ケースに対する使用状態図である。
【発明を実施するための形態】
【００２０】
以下、本発明を添付した図面を参照して詳細に説明する。ここで、繰り返される説明、本発明の要旨を不必要にあいまいにし得る公知の機能、および構成に関する詳細な説明は省略する。本発明の実施形態は、当業界における平均的な知識を有する者に本発明をより完全に説明するために提供されるものである。したがって、図面における要素の形状および大きさなどはより明確な説明のために誇張されることがある。
【００２１】
以下、本発明に係る好ましい実施形態を添付した図面を参照して詳細に説明する。
図１は、本発明の第１実施形態に係るホログラムを実現可能な折畳式ケースの斜視図であり、図２は、本発明の第１実施形態に係るホログラムを実現可能な折畳式ケースの分解図である。
【００２２】
図１および図２を参照すれば、本発明のホログラムを実現可能な折畳式ケースは、上板部１００と、側板部２００と、下板部３００と、スクリーン板４００とから構成されている。下から上へいくほど、下板部３００、側板部２００、上板部１００の順に配置され、４つの板から構成された四角柱の側板部２００の内部にスクリーン板４００が傾斜して設けられる。上板部１００の上面には映像機器１０が挿入されて載置可能な溝が形成されている。
【００２３】
具体的には、上板部１００は、映像機器１０が挿入されて据え置き可能な挿入溝１１０が形成されている。挿入溝１１０は、上板部を上下貫通するように構成され、映像機器１０から転写する映像が上板部１００を透過することができる。ただし、挿入溝１１０の周辺に係止顎１３０が突出し、映像機器１０が側板部２００の内部に落ちないように支持する。すなわち、挿入溝１１０の周りに沿って係止顎１３０が延出することにより、上板部１００の上面に挿入載置された映像機器１０を下から支持する構造である。
【００２４】
映像機器１０は、映像が再生されるモニタを備えたもので、一般的に用いられるスマートフォンやＰＭＰなどを意味し、電子的な映像ファイルを外部に上映可能な電子装置を含む。使用者は映像機器１０を上板部１００の上部に形成された挿入溝１１０に載置させることで、映像機器１０のモニタが下側を向くように、すなわち、映像が側板部２００の内部に映るように配置する。上板部１００は、所定の厚さを有し、側向移動する直方体の固定部１２０を内蔵することができる。図２の左側上端は、上板部１００の内部断面を拡大して示すものである。詳しくは、固定部１２０は、側向移動しながら挿入溝１１０の空間を拡張および縮小させることにより、映像機器１０の位置を固定させることができる。つまり、固定部１２０は、引き出しと同じく水平移動して挿脱される構造であって、映像機器１０の挿入後、側向に押して映像機器１０を側面支持する構成である。多様な大きさの映像機器にも、固定部１２０の移動で強固に位置を固定させられる特徴がある。
【００２５】
また、上板部１００の下面は、側板部２００を挿脱可能な溝が縁に沿って一定深さ形成されている。これに対応して、下板部３００の上面は、側板部２００を挿脱可能な溝が縁に沿って一定深さ形成されている。つまり、側板部２００を中心として、上部は上板部１００が配置され、下部は下板部３００が配置され、４角板状の縁を有する側板部２００は、板の上部側の一部が上板部１００の溝に挿入され、板の下部側の一部が下板部３００の溝に挿入される。このように溝に挿入されて固定される構造によって、側板部２００が強固に固定され、支立される。
【００２６】
側板部２００は、４つの薄い板で連結された面で、下板部３００の上面に水平な面を切開した時、四角形になる。すなわち、各板は、下板部３００の上面に対して垂直に立っており、正方体または直方体の体積を内部に具備するように広げられる。
【００２７】
４つの板のうち、少なくともいずれかの一面は、外部から内部を見られる開口部２１０が形成されている。開口部２１０が形成された面を、説明の便宜上、前面部２２０と称する。前面部２２０に対向する後面部２９０も、開口部２１０が形成され、ホログラム映像に基づいて舞台の写真や屋外図といった他のイメージがプリントされてもよい。この時、開口部２１０は、図示のような四角形に形成されるが、楕円形、三角形および五角形などの多様な形状に構成されてもよいし、映像の他の効果を演出するためにその他の特殊フィルムが開口部２１０の前面に付着可能である。
【００２８】
前面部２２０に隣接して、第１側面部２３０および第２側面部２４０がそれぞれ連結される。すなわち、四角形の前面部２２０は、対向する両角に四角形の第１側面部２３０と第２側面部２４０がそれぞれ形成されている。第１実施形態および第２実施形態は、前面部２２０に一体型に第１側面部２３０および第２側面部２４０が形成されているが、第３実施形態のように、前面部と第１側面部および第２側面部が互いに別途に分離可能で組立連結される構造であってもよい。
【００２９】
第１側面部２３０と第２側面部２４０は、互いに対向する面であって、互いに対称の構造を有する。第１側面部２３０および第２側面部２４０は、半分に折畳まれる折線２５０、２６０が各面あたり１つずつ形成されている。具体的には、図１のように、垂直に折線２５０、２６０が側面部２３０、２４０にそれぞれ中心を通るように形成される。つまり、折線２５０、２６０は、側面部２３０、２４０の横の長さに対して中心点を通るように垂直に形成される。各側面部２３０、２４０は、上部の一定部分に上側から下側に一定長さの係止溝２７０、２８０が形成されている。係止溝２７０、２８０は、各側面部２３０、２４０に対向する部分に対称に形成されている。係止溝２７０、２８０は、図１のように、上下垂直に形成されることが好ましいが、スクリーン板の傾きを変形するか、ケースの大きさに応じて半弧や傾斜した対角溝に変形して形成されてもよい。係止溝２７０、２８０は、後述するスクリーン板４００の係止部４１０、４２０が挿入されて載置される部分である。側板部２００の各対向する面は、互いに面積が同一である。
【００３０】
下板部３００は、所定の厚さを有し、側板部２００を下側から支持する。この時、縁に沿って側板部２００が挿入される溝が形成される場合、より強固に側板部２００を支立させることができる。下板部３００は、スクリーン板４００の一角が挿入可能な支持溝３１０が一直線に形成されている。下板部３００は、内部に一定体積を具備し、アルバムＣＤやマニュアルといった他の品物を内蔵することができる。また、下板部３００の一側面が水平移動する引き出し式で構成され、アルバムＣＤやマニュアルといった他の品物を挿脱することができる。
【００３１】
スクリーン板４００は、映像機器１０のモニタから転写された映像が結ばれる板であって、ホログラム処理された透明板である。透過率が約５０％、反射率が約５０％程度となり、ホログラム処理された板として映像が立体的に見られるように側板部２００に傾斜して配置される。具体的には、スクリーン板４００は、対向する角のいずれか一地点に外向突出するように係止部４１０、４２０が形成されており、係止部４１０、４２０は、側面部２３０、２４０の係止溝２７０、２８０に挿入される。この時、係止部４１０、４２０がスクリーン板４００の一角の延長線上に突出して形成され、他の角が下板部３００の支持溝３１０に載置される構造である。それぞれの係止部４１０、４２０は、互いに反対方向に突出しており、スクリーン板４００の一角から延びて突出するか、一地点から突出してもよい。下板部３００の上面とスクリーン板４００との間のなす傾斜角は３０゜〜６０゜が適切であり、ケースの全体的な大きさやホログラム映像の鮮明度のために適切に設けられる。簡単に、スクリーン板４００の係止部４１０、４２０は、側面部２３０、２４０の上部に形成された係止溝２７０、２８０に挿入されることにより、スクリーン板４００が下板部３００の上面に対して傾斜して設けられる構造である。
【００３２】
図３〜図６は、本発明の第１実施形態に係るホログラムを実現可能な折畳式ケースの順次組立図である。以下では、図３から図６の順に順次な組立過程を説明する。
【００３３】
図３を参照すれば、本発明は、最初に上板部１００と下板部３００が上下に付着した状態であり、上板部１００と下板部３００との間に側板部２００とスクリーン板４００が内蔵されている（図示せず）。あるいは、上板部１００は、一角を軸に回動可能な板状のカバーが形成され、上板部１００の上面に折畳まれた側板部２００とスクリーン板が配置されてもよい。この場合、使用者はカバーを開放した後、折畳まれている側板部とスクリーン板を取り出す。この時、側板部は、第１側面部と第２側面部に折線に沿って折畳式で構成され、平らに折畳まれている。
【００３４】
図４を参照すれば、上板部１００と下板部３００とを分離し、内部にあった側板部２００を広げる。折畳式で構成された側板部２００の両側面部２３０、２４０を互いに遠くなるように広げることによって、四角柱の側面が完成する。側板部２００を下板部３００に垂直に立てた後、下板部３００の上側に支立させる。この時、下板部３００は、縁に沿って一定深さ溝が形成され、側板部２００を挿入させることができる。
【００３５】
図５を参照すれば、支立された側板部２００の内部にスクリーン板４００を傾斜して設ける。具体的には、スクリーン板４００の両角に外向突出形成された係止部４１０、４２０を、側板部２００の第１側面部２３０と第２側面部２４０に形成された係止溝２７０、２８０にそれぞれ挿入し、スクリーン板４００の他の角を下板部３００の支持溝３１０に載置させる。以後、上板部１００を側板部２００上に覆う。上板部１００は、縁に沿って一定深さの溝が形成され、側板部２００を挿入させることができる。上板部１００は、映像機器１０を載置可能な挿入溝１１０が上側を向くように配置する。
【００３６】
図６を参照すれば、上板部１００の挿入溝１１０に映像機器１０を載置させ、上板部１００の固定部１２０を側向移動して映像機器１０を固定させる。固定部１２０は、上板部１００に内蔵された直方体の板で、一部の溝が形成されたものを用いて、使用者が水平方向に移動させることができる。固定部１２０の側向移動で映像機器１０を側面から支持し、位置を固定させることができる。
【００３７】
このように使用者は手軽に組立てることができ、側板部の開口部を通して映像機器１０から再生される映像を立体的な映像で観覧することができる。
【００３８】
図７および図８は、本発明の第２実施形態に係るホログラムを実現可能な折畳式ケースの側板部の拡大図である。図７および図８を参照する時、側板部２０１は、開口部２１１が形成された前面部２２１と、前面部２２１に対向する後面部２９１と、前面部２２１と後面部２９１に隣接し互いに対向する第１側面部２３１および第２側面部２４１とから構成され、特に第１側面部２３１と第２側面部２４１に形成された折線２５１ａ、２５１ｂ、２６１ａ、２６１ｂが傾斜して形成されたことを特徴とする。つまり、第１側面部２３１は、傾斜した２つの折線２５１ａ、２５１ｂが形成されており、第２側面部２４１は、傾斜した２つの折線２６１ａ、２６１ｂが形成されている。このような折線２５１ａ、２５１ｂ、２６１ａ、２６１ｂは、第１側面部２３１と第２側面部２４１のそれぞれに２つずつ形成され、それぞれの側面部２３１、２４１の仮想の中心垂直線を基準として互いに対称に傾斜して形成される。折線２５１、２６１と側面部の下側角は、二等辺三角形をなしてもよい。第２実施形態は、第１実施形態より薄い厚さに側板部２０１を折畳むことができる。
【００３９】
側板部２０１を除いた残りの構成は第１実施形態と同一であるので、組立方式や形状に関する説明は省略する。
【００４０】
図９は、本発明の第３実施形態に係るホログラムを実現可能な折畳式ケースの側板部の拡大図である。図９を参照すれば、側板部２０２は、開口部２１２が形成された前面部２２２と、前面部２２２に対向する後面部２９２と、前面部２２２と後面部２９２に隣接し互いに対向する第１側面部２３２および第２側面部２４２とから構成され、特に、前面部２２２、後面部２９２、第１側面部２３２および第２側面部２４２が全部分離可能な構造である。この場合、第１側面部２３２と第２側面部２４２は折線の加工が不必要であり、各板の損傷時、修理取替が容易である。
【００４１】
側板部２０２を除いた残りの構成は第１実施形態と同一であるので、組立方式や形状に関する説明は省略する。
【００４２】
図１０は、本発明のホログラムを実現可能な折畳式ケースに対する使用状態図である。説明の便宜のために、側面部は第１実施形態を示したが、第２実施形態および第３実施形態に変形可能である。図１０を参照すれば、上板部１００と下板部３００との間に側板部２００を支立して組立て、上板部１００に携帯電話のような映像機器を載置する。使用者は、前面部２２０に形成された開口部２１０を通してスクリーン板４００に映写されたホログラムを視聴することができる。
【００４３】
上板部１００は、携帯電話を覆うことができるカバー１４０がさらに構成され、カバー１４０にはＱＲコード（登録商標）のような表示マークがさらにプリントされてもよい。カバー１４０の一端面は上板部１００と一体に構成され、他端面は上板部１００と分離されて上板部１００の一角を回動可能な構造である。すなわち、上板部１００の一角に一体に連結された板状のカバー１４０は、上板部１００の一角を回転軸の中心に回動する構造である。上板部１００に連結された角面に対向する角は第１磁性体１５０が付着しており、下板部３００の他の角の側面にも第２磁性体３３０が付着している。カバー１４０が上板部１００の上面を覆う場合、カバー１４０の回動軸と遠方、すなわち、カバー１４０の第１磁性体１５０が付着した角に近い下板部３００の角に第２磁性体３３０が形成されている。このような構造で第１磁性体１５０と第２磁性体３３０とが互いに磁力で付着可能である。
【００４４】
この時、第２磁性体３３０は、下板部３００の外部に付着してもよく、図６のように一角に内蔵されてもよい。また、上板部１００のカバー１４０と下板部３００の一角とが互いにくっつくために、磁石でない、止金や紐、ベルクロ（ｖｅｌｃｒｏ、登録商標）のような付着可能な構造に変形可能である。
【００４５】
下板部は、所定の厚さを有し、内部にＣＤのような部品が内蔵される。具体的には、下板部３００の一側面が前後に移動することにより挿入または取外し可能な引き出し構造である。このような引き出し式で構成され、使用者が開閉する過程によりＣＤをケースから取り出したり内蔵させることができる。また、全体的なケースの折畳む方式、組立方式を説明するマニュアルをさらに内蔵してもよい。
【００４６】
本発明は、多様に変形可能であり、様々な形態を取ることができ、上記の発明の詳細な説明ではそれによる特別な実施形態についてのみ記述した。しかし、本発明は、詳細な説明で言及される特別な形態に限定されるものではないことが理解されなければならず、むしろ添付した請求の範囲によって定義される本発明の精神と範囲内にあるすべての変形物と均等物および代替物を含むことが理解されなければならない。
【図１】
0006409127.tif 000002
【図２】
0006409127.tif 000003
【図３】
0006409127.tif 000004
【図４】
0006409127.tif 000005
【図５】
0006409127.tif 000006
【図６】
0006409127.tif 000007
【図７】
0006409127.tif 000008
【図８】
0006409127.tif 000009
【図９】
0006409127.tif 000010
【図１０】
0006409127.tif 000011